(57)【要約】【課題】遊技領域へ打ち出された遊技球を、その勢いを低減させながら流下させるようにする。【解決手段】遊技領域１０における遊技球の打ち出し側と反対側である右上部には、該遊技領域１０に打ち込まれた遊技球が衝突することで該遊技球の勢いを低減させる緩衝部材１９が配設されている。緩衝部材１９の下方には、枠状装飾部材４０の庇部４２と盤面飾り部材１３のレール部１３Ａとの間に流下経路１５が形成され、この枠状装飾部材４０の取付板部４３におけるレール部１３Ａ側には、流下経路１５に臨むように緩衝突部６０,６５が一体的または別部材として配設されている。また、流下経路１５に臨む取付板部４３の前面には、接触した遊技球の勢いを低減可能な非平坦形状となるよう凹凸が形成されている。これにより、緩衝部材１９に衝突した後に流下経路１５を流下する遊技球は、緩衝突部６０,６５や凹凸に衝突することで勢いが更に低減される。【選択図】図６
2015186723.tif 000002
【特許請求の範囲】
【請求項１】
レール部により遊技球が流下する遊技領域が画成された遊技盤と、前記遊技盤に配設されて前記遊技領域の内側に位置する装飾部材とを備え、前記遊技領域には、当該遊技領域に対する遊技球の打ち出し側と反対側となる前記装飾部材の側方に球の流下経路が形成された遊技機において、
前記遊技領域における前記遊技球の打ち出し側と反対側の上部に設けられ、該遊技領域に打ち込まれた前記遊技球が衝突することで該遊技球の勢いを低減させる緩衝部材と、
前記緩衝部材の下方に位置して、該緩衝部材に衝突した遊技球が衝突することで該遊技球の勢いを低減させる緩衝部とを備え、
前記装飾部材は、前記遊技盤の前面より前方へ突出して前記流下経路に臨む庇部を備えると共に、該庇部の後端から前記レール部に向け前記遊技盤の前面に沿って延出する板部を備え、
前記板部における前記レール部側の延出端部に前記緩衝部が前方へ突出するよう一体的または別部材として設けられて、前記庇部と当該緩衝部との間に前記流下経路の一部が形成され、
前記板部において前記緩衝部よりも前記流下経路の下方の前面に、接触した遊技球の勢いを低減可能な非平坦形状部分が形成されている
ことを特徴とする遊技機。
【請求項２】
レール部により遊技球が流下する遊技領域が画成された遊技盤と、前記遊技盤に配設されて前記遊技領域の内側に位置する装飾部材とを備え、前記遊技領域には、当該遊技領域に対する遊技球の打ち出し側と反対側となる前記装飾部材の側方に球の流下経路が形成された遊技機において、
前記遊技領域における前記遊技球の打ち出し側と反対側の上部に設けられ、該遊技領域に打ち込まれた前記遊技球が衝突することで該遊技球の勢いを低減させる緩衝部材と、
前記緩衝部材の下方に位置して、該緩衝部材に衝突した遊技球が衝突することで該遊技球の勢いを低減させる緩衝部とを備え、
前記装飾部材は、前記遊技盤の前面より前方へ突出して前記流下経路に臨む庇部を備えると共に、該庇部の後端から前記レール部に向け前記遊技盤の前面に沿って延出する板部を備え、
前記板部における前記レール部側の延出端部に前記緩衝部が前方へ突出するよう一体的または別部材として設けられて、前記庇部と当該緩衝部との間に前記流下経路の一部が形成され、
前記板部において前記緩衝部よりも前記流下経路の上方の前面に、接触した遊技球の勢いを低減可能な非平坦形状部分が形成されている
ことを特徴とする遊技機。
【請求項３】
レール部により遊技球が流下する遊技領域が画成された遊技盤と、前記遊技盤に配設されて前記遊技領域の内側に位置する装飾部材とを備え、前記遊技領域には、当該遊技領域に対する遊技球の打ち出し側と反対側となる前記装飾部材の側方に球の流下経路が形成された遊技機において、
前記遊技領域における前記遊技球の打ち出し側と反対側の上部に設けられ、該遊技領域に打ち込まれた前記遊技球が衝突することで該遊技球の勢いを低減させる緩衝部材と、
前記緩衝部材の下方に位置して、該緩衝部材に衝突した遊技球が衝突することで該遊技球の勢いを低減させる緩衝部とを備え、
前記装飾部材は、前記遊技盤の前面より前方へ突出して前記流下経路に臨む庇部を備えると共に、該庇部の後端から前記レール部に向け前記遊技盤の前面に沿って延出する板部を備え、
前記板部における前記レール部側の延出端部に前記緩衝部が前方へ突出するよう一体的または別部材として設けられて、前記庇部と当該緩衝部との間に前記流下経路の一部が形成され、
前記流下経路に臨む前記板部の前面に、接触した遊技球の勢いを低減可能な非平坦形状部分が形成されると共に、
前記遊技領域における前記緩衝部より下方に遊技球の検出部が設けられ、前記板部の非平坦形状部分が臨む前記流下経路を通過した遊技球を前記検出部で検出し得るよう構成された
ことを特徴とする遊技機。
【発明の詳細な説明】
【技術分野】
【０００１】
本発明は、図柄表示装置における特別遊技状態の発生時に、遊技球の打出しを遊技領域の右方向へ変更するようにした遊技機に関するものである。
【背景技術】
【０００２】
パチンコ機等に代表される遊技機は、固定枠としての外枠に組み付けられる本体枠としての中枠と、裏側に設置部材が配設されて前記中枠に取り付けられる遊技盤と、前記中枠の前側に組み付けられる装飾枠としての前枠等を備えている。前記遊技盤は、その中央に前後に大きく開口した貫通口が形成されると共に前面に遊技領域が形成され、各種入賞装置(始動入賞装置や特別入賞装置等)が配設されると共に、前後に開口した表示窓口が形成された枠状の装飾部材が前記貫通口の開口縁に配設されている。前記装飾部材の表示窓口には、遊技盤の裏側に取付けられた設置部材に配設された図柄表示装置や可動演出装置等が臨んでいる。このような遊技機は、遊技領域に打ち出した遊技球が始動入賞口に入球すると図柄表示装置が作動し、該図柄表示装置における図柄組合わせ結果として特別遊技状態(大当たり)が発生すると、特別入賞装置が開放して多数の遊技球の入賞が可能となる。
【０００３】
また、近年の遊技機においては、前記特別遊技状態が発生した場合に、特別入賞装置に対する遊技球の入球確率を高めて特別遊技状態の遊技時間を短縮するため、特別入賞装置を遊技領域内の右下(前記枠状装飾部材４０の右下)に配設した遊技盤も多く実施されている。このような構成の遊技盤を備えた遊技機は、特別遊技状態の発現時に打球発射装置を所謂「右打ち状態」に変更して、打出した遊技球を遊技領域の右側部分におけるレール部と前記枠状の装飾部材との間に形成された流下経路に移動させ、該流下経路を介して前記特別入賞装置へ至らせるようになっている。このような流下経路を設けた遊技盤を備えた遊技機は、特許文献１に開示されている。
【先行技術文献】
【特許文献】
【０００４】
【特許文献１】特開２００８−１２５５６４号公報
【発明の概要】
【発明が解決しようとする課題】
【０００５】
ところで、前記特許文献１に開示された遊技機では、該遊技領域の左側部分を少しでも広く確保するため、前記流下経路(誘導手段)が、遊技球が余裕で通過できる必要最低限の幅(パチンコ球の直径の１.５倍程度)しか確保されておらず、案内釘や入賞口等の遊技部品は配設されていない。このため、右打ち状態で打ち出された遊技球は、流下経路を流下する際に勢いが殆ど低減されず、逆に流下するに従って加速して勢いが増し易くなっている。従って、加速して勢いが増した遊技球が、遊技領域の下方に配設された前記特別入賞装置の開放した開閉扉に勢いよく落下してしまい、該特別入賞装置が破損する不都合が発生している。
【０００６】
そこで本発明は、前述した課題を解決するために案出されたものであって、遊技領域へ打ち出された遊技球を、その勢いを低減させながら流下させるようにした遊技機を提供することを目的とする。
【課題を解決するための手段】
【０００７】
前記課題を解決するために、本願の請求項１に記載の発明は、
レール部(11,12,13)により遊技球が流下する遊技領域(10)が画成された遊技盤(D)と、前記遊技盤(D)に配設されて前記遊技領域(10)の内側に位置する装飾部材(40)とを備え、前記遊技領域(10)には、当該遊技領域(10)に対する遊技球の打ち出し側と反対側となる前記装飾部材(40)の側方に球の流下経路(15)が形成された遊技機において、
前記遊技領域(10)における前記遊技球の打ち出し側と反対側の上部に設けられ、該遊技領域(10)に打ち込まれた前記遊技球が衝突することで該遊技球の勢いを低減させる緩衝部材(19)と、
前記緩衝部材(19)の下方に位置して、該緩衝部材(19)に衝突した遊技球が衝突することで該遊技球の勢いを低減させる緩衝部(60)とを備え、
前記装飾部材(40)は、前記遊技盤(D)の前面より前方へ突出して前記流下経路(15)に臨む庇部(42)を備えると共に、該庇部(42)の後端から前記レール部(13)に向け前記遊技盤(D)の前面に沿って延出する板部(43)を備え、
前記板部(43)における前記レール部(13)側の延出端部に前記緩衝部(60)が前方へ突出するよう一体的または別部材として設けられて、前記庇部(42)と当該緩衝部(60)との間に前記流下経路(15)の一部が形成され、
前記板部(43)において前記緩衝部(60)よりも前記流下経路(15)の下方の前面(43A)に、接触した遊技球の勢いを低減可能な非平坦形状部分が形成されていることを要旨とする。
この構成では、遊技領域に対する遊技球の打ち出し側と反対側へ打ち出した遊技球は、緩衝部材に衝突してその勢いが低減され、更に緩衝部に衝突することで勢いが低減され、装飾部材の庇部と該緩衝部との間の流下経路を勢いが低減された状態で流下するようになる。従って、装飾部材の庇部、流下経路に配設された遊技部品、該流下経路の下方に配設された遊技部品に対して遊技球が激しく衝突することが防止され、該遊技部品の破損や損耗および故障の発生を防止し得る。そして、流下経路を下方へ移動する遊技球が板部における非平坦形状部分が形成された前面に接触することで、該遊技球の流下の勢いが低減され得る。
また、装飾部材の庇部の後端に設けた板部に緩衝部が設けられており、該装飾部材を遊技盤に装着することで該緩衝部が該遊技盤に対して適切な位置に取付けられると共に、該緩衝部の取付作業を省略することができる。また、板部を設けた位置に緩衝部を設けることができるので、緩衝部を設ける位置の自由度が高められる。
【０００８】
前記課題を解決するために、本願の請求項２に記載の発明は、
レール部(11,12,13)により遊技球が流下する遊技領域(10)が画成された遊技盤(D)と、前記遊技盤(D)に配設されて前記遊技領域(10)の内側に位置する装飾部材(40)とを備え、前記遊技領域(10)には、当該遊技領域(10)に対する遊技球の打ち出し側と反対側となる前記装飾部材(40)の側方に球の流下経路(15)が形成された遊技機において、
前記遊技領域(10)における前記遊技球の打ち出し側と反対側の上部に設けられ、該遊技領域(10)に打ち込まれた前記遊技球が衝突することで該遊技球の勢いを低減させる緩衝部材(19)と、
前記緩衝部材(19)の下方に位置して、該緩衝部材(19)に衝突した遊技球が衝突することで該遊技球の勢いを低減させる緩衝部(60)とを備え、
前記装飾部材(40)は、前記遊技盤(D)の前面より前方へ突出して前記流下経路(15)に臨む庇部(42)を備えると共に、該庇部(42)の後端から前記レール部(13)に向け前記遊技盤(D)の前面に沿って延出する板部(43)を備え、
前記板部(43)における前記レール部(13)側の延出端部に前記緩衝部(65)が前方へ突出するよう一体的または別部材として設けられて、前記庇部(42)と当該緩衝部(65)との間に前記流下経路(15)の一部が形成され、
前記板部(43)において前記緩衝部(60)よりも前記流下経路(15)の上方の前面(43A)に、接触した遊技球の勢いを低減可能な非平坦形状部分が形成されていることを要旨とする。
この構成では、遊技領域に対する遊技球の打ち出し側と反対側へ打ち出した遊技球は、緩衝部材に衝突してその勢いが低減され、更に緩衝部に衝突することで勢いが低減され、装飾部材の庇部と該緩衝部との間の流下経路を勢いが低減された状態で流下するようになる。従って、装飾部材の庇部、流下経路に配設された遊技部品、該流下経路の下方に配設された遊技部品に対して遊技球が激しく衝突することが防止され、該遊技部品の破損や損耗および故障の発生を防止し得る。そして、流下経路を下方へ移動する遊技球が板部における非平坦形状部分が形成された前面に接触することで、該遊技球の流下の勢いが低減され得る。
また、装飾部材の庇部の後端に設けた板部に緩衝部が設けられており、該装飾部材を遊技盤に装着することで該緩衝部が該遊技盤に対して適切な位置に取付けられると共に、該緩衝部の取付作業を省略することができる。また、板部を設けた位置に緩衝部を設けることができるので、緩衝部を設ける位置の自由度が高められる。
【０００９】
前記課題を解決するために、本願の請求項３に記載の発明は、
レール部(11,12,13)により遊技球が流下する遊技領域(10)が画成された遊技盤(D)と、前記遊技盤(D)に配設されて前記遊技領域(10)の内側に位置する装飾部材(40)とを備え、前記遊技領域(10)には、当該遊技領域(10)に対する遊技球の打ち出し側と反対側となる前記装飾部材(40)の側方に球の流下経路(15)が形成された遊技機において、
前記遊技領域(10)における前記遊技球の打ち出し側と反対側の上部に設けられ、該遊技領域(10)に打ち込まれた前記遊技球が衝突することで該遊技球の勢いを低減させる緩衝部材(19)と、
前記緩衝部材(19)の下方に位置して、該緩衝部材(19)に衝突した遊技球が衝突することで該遊技球の勢いを低減させる緩衝部(60,65)とを備え、
前記装飾部材(40)は、前記遊技盤(D)の前面より前方へ突出して前記流下経路(15)に臨む庇部(42)を備えると共に、該庇部(42)の後端から前記レール部(13)に向け前記遊技盤(D)の前面に沿って延出する板部(43)を備え、
前記板部(43)における前記レール部(13)側の延出端部に前記緩衝部(60,65)が前方へ突出するよう一体的または別部材として設けられて、前記庇部(42)と当該緩衝部(60,65)との間に前記流下経路(15)の一部が形成され、
前記流下経路(15)に臨む前記板部(43)の前面(43A)に、接触した遊技球の勢いを低減可能な非平坦形状部分が形成されると共に、
前記遊技領域(10)における前記緩衝部(60,65)より下方に遊技球の検出部(70)が設けられ、前記板部(43)の非平坦形状部分が臨む前記流下経路(15)を通過した遊技球を前記検出部(70)で検出し得るよう構成されたことを要旨とする。
この構成では、遊技領域に対する遊技球の打ち出し側と反対側へ打ち出した遊技球は、緩衝部材に衝突してその勢いが低減され、更に緩衝部に衝突することで勢いが低減され、装飾部材の庇部と該緩衝部との間の流下経路を勢いが低減された状態で流下するようになる。従って、装飾部材の庇部、流下経路に配設された遊技部品、該流下経路の下方に配設された検出部に対して遊技球が激しく衝突することが防止され、該遊技部品の破損や損耗および故障の発生を防止し得る。そして、流下経路を下方へ移動する遊技球が板部における非平坦形状部分が形成された前面に接触することで、該遊技球の流下の勢いが低減され得る。
また、装飾部材の庇部の後端に設けた板部に緩衝部が設けられており、該装飾部材を遊技盤に装着することで該緩衝部が該遊技盤に対して適切な位置に取付けられると共に、該緩衝部の取付作業を省略することができる。また、板部を設けた位置に緩衝部を設けることができるので、緩衝部を設ける位置の自由度が高められる。
【発明の効果】
【００１０】
本願発明に係る遊技機によれば、遊技領域へ打ち出された遊技球をその勢いを低減させながら流下させることができ、流下する該遊技球の衝突による遊技部品の破損や故障等を防止し得る。
【図面の簡単な説明】
【００１１】
【図１】実施例に係るパチンコ機の正面図である。
【図２】実施例に係るパチンコ機に実施される遊技盤の正面図である。
【図３】実施例の遊技盤を、第１可動演出装置を外した状態で示す斜視図である。
【図４】遊技盤から枠状装飾部材を取り外した状態で示す斜視図である。
【図５】枠状装飾部材に形成した板部に、緩衝突部を設けた構成を示す斜視図である。
【図６】緩衝突部を設けた流下経路をパチンコ球が流下する態様を示す説明図である。
【発明を実施するための形態】
【００１２】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１３】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０の始動入賞口２０Ａへのパチンコ球(遊技球)の入賞)を契機として演出用の図柄を変動表示させて図柄変動演出を行なう図柄表示装置Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方にパチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１４】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔(例えば、０．６秒間隔)で１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１５】
(遊技盤)
前記遊技盤Ｄは、図２および図３に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には後述する設置部材３０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１６】
前記遊技盤Ｄの遊技領域１０において、前記遊技球の打ち出し側である左上部と反対側の右上部、すなわち前記外レール１１と前記盤面飾り部材１３との境界部分には、図２に示すように、該遊技領域１０に打ち込まれたパチンコ球が衝突可能な緩衝部材１９が、ネジ等により固定されている。この緩衝部材１９は、例えばゴムやウレタン等の弾力性を有する素材から形成されており、前記打球発射装置により強く打ち出されて遊技領域１０の右上部まで到達したパチンコ球が衝突することで、該パチンコ球の勢いを好適に低減するようになっていると共に、該パチンコ球の衝突による異音の発生等も抑えるようになっている。
【００１７】
そして前記遊技盤Ｄには、図２および図４に示すように、中央に大きな貫通口１４が形成され、前後に開口して遊技演出領域とされる表示窓口４１が形成された枠状装飾部材４０が、該貫通口１４の開口縁に配設されている。この枠状装飾部材４０は、図柄表示装置Ｈ(後述)で行なわれる遊技内容に合わせた装飾が前部に施されていると共に、遊技盤Ｄの前面より前方へ突出して前記表示窓口４１を囲繞するように形成された庇部４２を備えている。そして、実施例のパチンコ機Ｐでは、前記枠状装飾部材４０の庇部４２と前記盤面飾り部材１３の凹状に形成されたレール部１３Ａとの間に、パチンコ球の通過が可能な幅の流下経路１５が画成されている。すなわち、前記操作ハンドルＧの操作量を増加させて打球発射装置を所謂「右打ち状態」に変更して、遊技領域１０の右上部に打ち出されたパチンコ球は、枠状装飾部材４０の右側部分に沿いながら前記流下経路１５に沿って下方へ移動し、遊技領域１０の右下方へ流下し得るように構成されている。なお、前記枠状装飾部材４０の表示窓口４１には、前記設置部材３０に着脱可能に配設された図柄表示装置Ｈの表示部Ｈ１や、該設置部材３０の前側に配設される装飾部材３５および第１〜第３の各可動演出装置３６,３７,３８等が、パチンコ機Ｐの前側から視認可能に配設されている。
【００１８】
また前記遊技盤Ｄには、前記貫通口１４の真下において、該遊技盤Ｄの左右中央に第１装着口(図示せず)が開設され、該貫通口１４の右下方(第１装着口１６の右側)に第２装着口(図示せず)が開設されると共に、前記第１装着口の左側に第３装着口(図示せず)が開設されている。前記第１装着口には始動入賞装置２０が前側から配設され、前記第２装着口には特別入賞装置２１が前側から配設されると共に、第３装着口には３つの入賞口２２Ａが左右に配列された普通入賞具２２が配設されている。すなわち前記特別入賞装置２１は、前記枠状装飾部材４０の右側に形成された前記流下経路１５の下方に位置している。なお、遊技盤Ｄの前面における前記遊技領域１０内には、図２に示すように、多数の球案内釘２３や回転球案内具２５等が配設されている。
【００１９】
前記始動入賞装置２０、特別入賞装置２１および普通入賞具２２には、各々に入賞したパチンコ球を検知する球検知スイッチ(図示省略)が個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示部Ｈ１での図柄変動演出の後に、該表示部Ｈ１に所定の図柄組合わせで図柄が停止表示され、前記特別入賞装置２１の開閉扉２１Ａが開放位置に姿勢変位して多数のパチンコ球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２０】
(設置部材)
遊技盤Ｄの裏側に配設される前記設置部材３０は、図３に示すように、前方に開放する略矩形のバケット状に一体成された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で対向して該遊技盤Ｄの後面を構成する設置壁部３１と、この設置壁部３１の周縁から前方へ延出形成された外周壁部３２と、この外周壁部３２の前端から外方に向けて屈曲形成された縁板部(図示せず)等を備えている。すなわち設置部材３０は、外周壁部３２で囲われて遊技盤Ｄ側に開放する前部開口が矩形状に形成されると共に、縁板部の外周縁が、遊技盤Ｄの外周縁より一回り小さい形状および大きさで形成されている。このような設置部材３０は、縁板部を遊技盤Ｄの後面にネジ止めすることで該遊技盤Ｄに固定され、遊技盤Ｄの後面から離間した設置壁部３１の前側に空間ＳＰを画成して、前記装飾部材３５や、前記第１〜第３の各可動演出装置３６,３７,３８等が配設されている。
【００２１】
(緩衝突部)
実施例のパチンコ機Ｐでは、図２、図３および図６に示すように、前記緩衝部材１９の下方において、前記盤面飾り部材１３の右側においてレール部１３Ａに隣接して位置して前記流下経路１５に臨むように配設された緩衝突部(緩衝部)６０,６５を備えている。しかも、前記流下経路１５において、該流下経路１５が右下方へ下向きに延在している部分と、該流下経路１５が略真下を向いて延在している部分と夫々に、複数(実施例では２つ)の緩衝突部(以降、上方の緩衝突部を「第１緩衝突部６０」、下方の緩衝突部を「第２緩衝突部６５」という)が設けられており、前記第１緩衝突部６０および第２緩衝突部６５は、該流下経路１５におけるパチンコ球の流下方向へ間隔をおいて位置している。
【００２２】
(第１緩衝突部)
前記第１緩衝突部６０は、図５および図６に示すように、前記流下経路１５に突出した球接触面(第１面)６１を備えている。第１緩衝突部６０は、前記盤面飾り部材１３のレール部１３Ａ側から前記枠状装飾部材４０の側へ三角状に突出した形状に形成され、前記球接触面６１は略垂直下方に延在する平面状に形成されている。ここで流下経路１５は、前記第１緩衝突部６０が形成された部分においては右下方へ延在しているから、前記球接触面６１は、流下経路１５の流下方向下流側に行くに従って該流下経路１５へ徐々に突出するように形成されている。
【００２３】
(第２緩衝突部)
前記第２緩衝突部６５は、図５および図６に示すように、前記流下経路１５に突出した球接触面６６を備えている。第２緩衝突部６５は、前記盤面飾り部材１３のレール部１３Ａ側から前記枠状装飾部材４０側へ半円弧状に突出した形状に形成され、前記球接触面６６は、流下経路１５の流下方向下流側に行くに従って該流下経路１５へ徐々に突出して徐々に後退する曲面状に形成されている、
【００２４】
従って、前記第１緩衝突部６０および第２緩衝突部６５は、各球接触面６１,６６を前記流下経路１５に突出させた状態で配設されているため、該流下経路１５を下方へ移動するパチンコ球が各球接触面６１,６６の各々に衝突するようになり、該パチンコ球が流下する勢いを低減することが可能となっている。すなわち、実施例のパチンコ機Ｐでは、図６に示すように、右打ち状態で打ち出されたパチンコ球の勢いが、前記緩衝部材１９に衝突することで一次的に低減され、該緩衝部材１９に衝突した後に流下経路１５を下方へ移動する当該パチンコ球の勢いが、前記第１緩衝突部６０に衝突することで更に低減され得ると共に、第２緩衝突部６５に衝突することで更に低減されるため、勢いが増すことを確実に防止するように構成されている。
【００２５】
また前記枠状装飾部材４０は、図４および図５に示すように、前記庇部４２の後端から該庇部４２の側外方へ延出して、先端が前記盤面飾り部材１３のレール部１３Ａに対向する取付板部(板部４３)が、該庇部４２に一体的に形成されている。この取付板部４３は、枠状装飾部材４０を貫通口１４に装着した際に、該取付板部４３の裏面が前記遊技盤Ｄの前面に当接するようになっており、該取付板部４３に形成したネジ孔を介して遊技盤Ｄにネジをねじ込むことで、当該枠状装飾部材４０が該遊技盤Ｄに固定されるようになっている。すなわち前記取付板部４３は、庇部４２から前記流下経路１５に臨むと共に該流下経路１５に沿って右下へ細長く延在するように形成されており、該流下経路１５へ流入したパチンコ球は、該取付板部４３の前面に沿って下方へ移動するようになっている。そして、前記取付板部４３の前面４３Ａは、所要の凹凸模様に形成された意匠面となっており、流下経路１５を下方へ移動するパチンコ球が該前面４３Ａに接触することで、流下の勢いが低減され得るようになっている。
【００２６】
そして、前記第１緩衝突部６０および第２緩衝突部６５は、図４および図５に示すように、前記枠状装飾部材４０の庇部４２から側外方へ延出した前記取付板部４３の外縁側に、前方へ突出するように設けられている。すなわち、第１緩衝突部６０および第２緩衝突部６５は、遊技盤Ｄに装着前の枠状装飾部材４０の取付板部４３に一体的に形成されており、該枠状装飾部材４０を遊技盤Ｄに固定することで、各緩衝突部６０,６５も遊技盤Ｄの前面に配設されるようになっている。なお、第１緩衝突部６０および第２緩衝突部６５は、前記取付板部４３と別部材として別に形成されて、枠状装飾部材４０を遊技盤Ｄに組み付ける前の適時に該取付板部４３に組み付けるようにしてもよい。また、第１緩衝突部６０および第２緩衝突部６５を取付板部４３と別部材として構成する場合には、該緩衝突部６０を枠状装飾部材４０とは別の材料、例えばゴムやウレタン等の弾力性を有する部材から形成することが可能である。
【００２７】
前記第１緩衝突部６０および第２緩衝突部６５は、図６に示すように、その球接触面６１と前記庇部４２の外面との間隔Ｓが、前記パチンコ球の直径よりは大きく、かつ該パチンコ球の直径の２倍より小さくなるように設けられている。また、このような条件のもとで、前記庇部４２における前記緩衝突部６０の球接触面６１と相対する部位には、該緩衝突部６０から離間する方向へ窪む窪み部４４が設けられている。そして、前記枠状装飾部材４０の庇部４２と前記盤面飾り部材１３のレール部１３Ａとの間隔も、前記パチンコ球の直径よりは大きく、かつ該パチンコ球の直径の２倍より小さくなるように設けられている。従って、流下経路１５を下方へ移動する途中で前記第１緩衝突部６０の球接触面６１および第２緩衝突部６５の球接触面６６に衝突したパチンコ球は、庇部４２に設けた窪み部４４の側、すなわち流下方向と交差する方向へ移動して庇部４２に適宜接触するようになり、流下経路１５を流下する勢いが増すのを好適に抑え得るようになっている。なお、庇部４２における第２緩衝突部６５に相対する部分の前側には、湾曲した飾り部材４６が前側に配設されており(図２、図６参照)、該庇部４２に設けた窪み部４４は、図６において破線で示すように位置している。
【００２８】
更に、図５および図６に示すように、前記庇部４２の前記流下経路１５に臨む外面において、パチンコ球の流下方向において離間する第１緩衝突部６０と相対する部位および第２緩衝突部６５と相対する部位の中途に、該流下経路１５に向けて突出して該パチンコ球が接触可能な突部４５が設けられている。これにより、前記流下経路１５を下方へ移動するパチンコ球は、前記第１緩衝突部６０の球接触面６１に衝突することで前記庇部４２側へ移動し、前記突部４５に接触することで前記盤面飾り部材１３のレール部１３Ａ側へ移動し、更に前記第２緩衝突部６５球接触面６６に再び衝突するようになる。すなわちパチンコ球は、流下経路１５を下方へ移動する際に、枠状装飾部材４０の庇部７２側と盤面飾り部材１３のレール部１３Ａ側とに所謂千鳥状に左右へ振られるようになり、勢いが適切に減少して流下速度が増加することが抑えられるようになっている。
【００２９】
(ゲート部材)
そして、実施例の遊技盤Ｄでは、図２、図３および図６等に示すように、前記枠状装飾部材４０の右側において前記第２緩衝突部６５の下方に、球検出機能を備えたゲート部材７０が配設されている。前記ゲート部材７０は、流下経路１５を通過したパチンコ球だけが通過するように構成されており、該パチンコ球が通過してこれを検出した場合には球検出信号を主制御基板へ送出する。そして主制御基板は、前記ゲート部材７０からの球検出信号を受けると所定の抽選を行ない、その抽選結果が所定の条件を満たした場合には、前記始動入賞装置２０の入賞口２０Ａに配設した開閉体を開閉動作させる。
【００３０】
また、図２に示すように、前記ゲート部材７０の下流部分には、左下方へ斜めに延在して下端が前記特別入賞装置２１の上方に位置するガイドレール部５０が形成されている。従って、流下経路１５を流下して勢いが低減されたパチンコ球は、前記ゲート部材７０を通過した後に、前記ガイドレール部５０に沿って左下方に案内されて、勢いが低減された状態で前記特別入賞装置２１における水平前方へ開放した開閉扉２１Ａの上面に落下するようになっている。
【００３１】
(実施例の作用)
実施例のパチンコ機Ｐは、前述したように、操作ハンドルＧにより発射操作を行なうことで打球発射装置が作動し、上球皿Ｅ内に貯留された各パチンコ球が、遊技盤Ｄの遊技領域１０内へ所定間隔で打ち出される。大当たり条件が発生する前では、打球発射装置の打ち出し強さを調節して、遊技領域１０へ打ち出された各パチンコ球が該遊技領域１０における前記枠状装飾部材４０の左側部分を流下するようにする。前記枠状装飾部材４０の左側部分に打ち出されたパチンコ球は、前記球案内釘２３や回転球案内具２５等に接触しながら流下し、該パチンコ球の一部は、前記始動入賞装置２０の始動入賞口２０Ａや普通入賞具２２の入賞口２２Ａに入賞する。そして、前記始動入賞装置２０にパチンコ球が入賞して、該始動入賞装置２０の球検出スイッチからの検出信号を前記主制御装置が受信すると、該主制御装置は、大当たり抽選を行なう一方、統括制御装置に制御信号を出力して前記図柄表示装置Ｈに図柄変動演出を行なわせると共に、前記中枠Ｂの後側に配設された払出制御装置に制御信号を出力して、球払出装置に所定数の賞球を払い出させる。
【００３２】
前記主制御装置における前記大当たり抽選の結果として、所定の大当たり条件が成立して特別遊技状態が発生した場合には、図柄表示装置Ｈの表示部Ｈ１での図柄変動演出の後に、該表示部Ｈ１に所定の図柄組合わせで図柄が停止表示されると共に、前記特別入賞装置２１の開閉扉２１Ａを開放させ、該特別入賞装置２１に対してパチンコ球が入賞可能となる。
【００３３】
前述のように、特別遊技状態が発生して特別入賞装置２１の開閉扉２１Ａが開放したら、該特別入賞装置２１に対するパチンコ球の入球確率を高めて特別遊技状態の遊技時間を短縮するため、前記操作ハンドルＧを操作量を変更して打球発射装置の打ち出し強さを増加させて「右打ち状態」に変更する。これにより、打球発射装置から発射されたパチンコ球は、勢いよく遊技領域１０へ打ち出されるが、前記緩衝部材１９に衝突することで一次的にその勢いが低減される。そして、前記緩衝部材１９に衝突したパチンコ球は、勢いがある程度に低減した状態で、枠状装飾部材４０の庇部４２と盤面飾り部材１３のレール部１３Ａとの間に画成された前記流下経路１５に向けて流下する。
【００３４】
流下経路１５へ流下したパチンコ球は、先ず、前記第１緩衝突部６０の球接触面６１に衝突するので、該球接触面６１に衝突した後に枠状装飾部材４０の庇部４２側へ跳ねるようになり、勢いが更に低減される。そして、第１緩衝突部６０に衝突したパチンコ球は、流下経路１５を下方へ移動する途中で前記庇部４２に設けた突部４５に接触することで、盤面飾り部材１３のレール部１３Ａ側へ適宜跳ねた後、前記第２緩衝突部６５の球接触面６６に衝突するようになる。また、流下経路１５を流下するパチンコ球は、前記取付板部４３の前面４３Ａに接触することによっても、その勢いが低減するようになる。
【００３５】
そして、第２緩衝突部６５の球接触面６６に衝突したパチンコ球は、更に勢いが低減された状態で、流下経路１５の下方に配設した案内釘に接触した後に、前記ゲート部材７０の上方へ案内される。そして、前記ゲート部材７０を通過したパチンコ球は、前記ガイドレール部５０に沿って左下方に案内された後に、前記特別入賞装置２１に向けて勢いが低減した状態で流下するようになる。前記開閉扉２１Ａ上に落下したパチンコ球は、その殆どが特別入賞装置２１へ入賞し、該特別入賞装置２１に配設された球検出スイッチで検出される。
【００３６】
従って、実施例のパチンコ機Ｐによれば、打球発射装置により遊技領域１０へ打ち出したパチンコ球は、緩衝部材１９に衝突してその勢いが一次的に低減され、更に流下経路１５に臨むように設けた各緩衝突部６０,６５に衝突することで更に勢いが低減されるから、流下経路１５を勢いが低減された状態で流下してゲート部材７０に案内される。しかも、流下経路１５の流下方向に離間して第１緩衝突部６０および第２緩衝突部６５を設けたので、流下経路１５を流下するパチンコ球の勢いが増すのを好適に防止し得る。従って、流下経路１５に配設された遊技部品や、該流下経路１５の下方に配設された前記ゲート部材７０や特別入賞装置２１の開閉扉２１Ａに対して勢いよくかつ激しく落下して衝突することが防止され、これらゲート部材７０や該特別入賞装置２１等の破損や損耗および故障の発生を好適に防止し得る。
【００３７】
また、前記枠状装飾部材４０の庇部４２と第１緩衝突部６０の球接触面６１,６６との間隔Ｓや、該庇部４２と第２緩衝突部６５の球接触面６６との間隔Ｓを、パチンコ球の直径より大きくかつ直径の２倍より小さく設定してあるから、該パチンコ球は、流下経路１５を流下する際に各緩衝突部６０,６５に確実に衝突するようになり、庇部４２と該緩衝突部６０との間を勢いが低減された状態で流下する。従って、パチンコ球が勢いよく庇部４２の外面に衝突することが回避され、該庇部４２の破損や損耗を防止し得る。
【００３８】
また、枠状装飾部材４０の庇部４２の後端に設けた取付板部４３に、第１緩衝突部６０および第２緩衝突部６５が設けられているから、該枠状装飾部材４０を遊技盤Ｄに装着することで各緩衝突部６０,６５が該遊技盤Ｄに対して適切な位置に取付けることができると共に、該緩衝突部６０,６５の取付作業を省略することができる。しかも、取付板部４３を設けた位置に各緩衝突部６０,６５を設けることができるので、該取付板部４３を設ける位置を変更することにより緩衝突部６０,６５を設ける位置を自由に設定することができる。
【００３９】
更に、前記庇部４２の外面には、前記緩衝突部６０と相対する部位に窪み部４４を設けてあるので、流下経路１５を流下するパチンコ球が、緩衝突部６０の球接触面６１に衝突する際に該庇部４２側へ移動し易くなっている。従ってパチンコ球は、緩衝突部６０の球接触面６１に衝突すると、流下経路１５の流下方向と交差する方向へ跳ねるようになり、該流下経路１５を流下する際の勢いが増すのを好適に防止し得る。
【００４０】
更にまた、前記庇部４２の前記流下経路１５に臨む外面において、遊技球の流下方向において離間する第１緩衝突部６０と相対する部位および第２緩衝突部６５と相対する部位の中途に、該流下経路１５に向けて突出した突部４５を設けたので、流下経路１５を流下する遊技球は、流下方向と交差する方向へ何度も跳ねて移動するようになるから、該パチンコ球の流下する勢いをより確実に低減することができる。
【００４１】
(変更例)
本発明に係る遊技機は、実施例に例示の形態に限らず種々の変更が可能である。
（１）実施例では、流下経路１５に臨む部位に、該流下経路１５の流下方向に離間して第１緩衝突部６０および第２緩衝突部６５を設けた場合を例示したが、該緩衝突部の配設数は、２つに限定されるものではなく、１つ、または３つ以上であってもよい。
（２）実施例では、枠状装飾部材４０に設けた取付板部４３に各緩衝突部６０,６５を一体に形成した形態を例示したが、該緩衝突部６０,６５は、取付板部４３と別部材として別体に形成して、該取付板部４３に取り付けるように構成したものであってもよい。
（３）前記各緩衝突部６０,６５は、流下経路１５に臨む前記盤面飾り部材１３のレール部１３Ａに、該流下経路１５に突出するように該盤面飾り部材１３に設けるようにしてもよい。この場合、緩衝突部６０は、盤面飾り部材１３に一体に形成してもよいし、該盤面飾り部材１３とは別部材として別体に構成して、該盤面飾り部材１３のレール部１３Ａに取付けるようにしてもよい。
（４）実施例では、遊技機としてのパチンコ機を示したが、遊技機はパチンコ機に限られるものではなく、アレンジボール機等であってもよい。
【００４２】
また、本願には例えば次の技術的思想が含まれている。
(Ａ)  請求項１〜３の何れか一項に記載の構成を含む遊技機に関して、
前記庇部(42)の前記緩衝部(60,65)と相対する部位には、該緩衝部(60,65)から離間する方向へ窪む窪み部(44)が設けられていることを要旨とする遊技機。
これによれば、流下経路を流下する遊技球が、緩衝部に衝突する際に装飾部材の庇部側へ移動し易くなり、該遊技球の流下する勢いを適切に低減することができる。
(Ｂ)  上記(Ａ)記載の構成を含む遊技機に関して、
前記緩衝部(60,65))は、前記流下経路(15)における遊技球の流下方向へ間隔をおいて複数設けられていると共に、上方の緩衝部(60)は、前記レール部(13)における前記緩衝部材(19)が設けられた位置から斜め下方へ延在する部位に隣接して設けられ、
前記上方の緩衝部(60)は、前記レール部(13)に上縁が連なると共に流下経路(15)の下流側に行くにつれて該レール部(13)から離間するよう下方へ延出する平坦状の第１面(61)と、該第１面(61)の下縁および前記レール部(13)に夫々連なると共に該レール部(13)に向けて斜め下方へ傾斜する平坦状の第２面とを有し、
前記窪み部(44)は、前記上方の緩衝部(60)における前記第１面(61)および第２面が連なる先端部に相対する部位が、該上方の緩衝部(60)に対して凹曲面状に形成され、
前記上方の緩衝部(60)の上流側において前記庇部(42)とレール部(13)との間を移動して前記第１面(61)に衝突した遊技球が、該第１面(61)と前記窪み部(44)との間を該窪み部(44)の凹曲面に向け落下するよう移動すると共に、窪み部(44)の凹曲面により該窪み部(44)と前記第２面との間に向け移動した当該遊技球が、当該上方の緩衝部(60)の下流側において前記庇部(42)とレール部(13)との間を下方へ移動するよう構成されたことを要旨とする遊技機。
これによれば、流下経路を流下する遊技球が、各緩衝部に衝突するたびにその勢いが低減されるので、該流下経路を流下する際に勢いが再び増加しない。
(Ｃ)  上記(Ｂ)記載の構成を含む遊技機に関して、
前記庇部(42)の前記流下経路(15)に臨む外面において、遊技球の流下方向において離間する上方の緩衝部(60)と相対する部位および下方の緩衝部(60)と相対する部位の中途に、該流下経路(15)に向けて突出して該遊技球が接触可能な突部(45)が設けられていることを要旨とする遊技機。
これによれば、流下経路を流下する遊技球は、上方の緩衝部に衝突した後に庇部側に跳ねて突部に接触し易くなり、該突部に接触した後に庇部から離間する側に跳ねるので下方の緩衝部に衝突し易くなる。従って、流下経路を流下する遊技球は、流下方向と交差する方向へ何度も移動するようになるから、流下する勢いをより適切に低減することができる。
(Ｄ)  請求項１〜３の何れか一項に記載の構成を含む遊技機に関して、
前記板部(43)は、前記流下経路(15)における前記緩衝部材(19)より下方に設けられて、前記遊技盤(D)の前面から該板部(13)の厚み分だけ突出しており、
前記流下経路(15)における前記板部(43)から上流側には前記遊技盤(D)の前面が臨んでいることを要旨とする遊技機。
【符号の説明】
【００４３】
１０ 遊技領域，１１ 外レール(レール部)，１２ 内レール(レール部)
１３ 盤面飾り部材，１５ 流下経路，１９ 緩衝部材，４０ 枠状装飾部材(装飾部材)
４２ 庇部，４３ 取付板部(板部)，４３Ａ 前面，４４ 窪み部，４５ 突部
６０ 緩衝突部(緩衝部)，６１ 球接触面(第１面)，６５ 緩衝突部(緩衝部)，Ｄ 遊技盤
【図１】
2015186723.tif 000003
【図２】
2015186723.tif 000004
【図３】
2015186723.tif 000005
【図４】
2015186723.tif 000006
【図５】
2015186723.tif 000007
【図６】
2015186723.tif 000008